(57)【要約】【課題】外部の温度変化のような多様なデータを収集してこれに伴いさらに効率的な蓄熱及び暖房運転ができる外部データ収集機能を有する蓄熱式暖房装置及びその制御方法を提供する。【解決手段】本発明は、  蓄熱式暖房装置において、室外の温度を検出する室外温度の検出部、深夜電気を利用してヒーターで熱を保管する蓄熱ヒーター、蓄熱ヒーターの温度を検出する蓄熱温度の検出部、室外温度の検出部から検出された室外温度によって蓄熱量を計算して蓄熱  ヒーターの作動状態を制御し、蓄熱された熱を多数の温風器に供給して室内を暖房させるように制御するサーバー、室内を暖房する多数の温風器、温風器に前記サーバーのデータを伝送し、現在の温風器の状態を照会監視し、  温風器のデータを収集してサーバーに伝送するデータ処理／収集装置、とを含むことを特徴とする。【選択図】図１
2011021872.tif 000002
【特許請求の範囲】
【請求項１】
蓄熱式暖房装置において、
室外の温度を検出する室外温度の検出部、
深夜電気を利用してヒーターで熱を保管する蓄熱ヒーター、
前記蓄熱ヒーターの温度を検出する蓄熱温度の検出部、
前記室外温度の検出部から検出された室外温度によって蓄熱量を計算して前記蓄熱ヒーターの作動状態を制御し、蓄熱された熱を多数の温風器に供給して室内を暖房させるように制御するサーバー、
室内を暖房する多数の温風器、
前記温風器に前記サーバーのデータを伝送し、現在の温風器の状態を照会監視し、前記温風器のデータを収集して前記サーバーに伝送するデータ処理／収集装置、
とを含むことを特徴とする外部データ収集機能を有する蓄熱式暖房装置。
【請求項２】
前記温風器は、
室内温度を検出する温度センサー、
前記温度センサーで検出された室内温度を前記データ処理／収集装置に伝送し、前記  データ処理／収集装置から前記サーバーの制御命令を受信してヒーター及びファンを駆動させ、同じ暖房条件を有する温風器をグループ化して運転設定を簡便するようにすることを特徴とする請求項１記載の外部データ収集機能を有する蓄熱式暖房装置。
【請求項３】
稼動時間と容量で電力積算量を累積する積算電力計をさらに含むことを特徴とする請求項１記載の外部データ収集機能を有する蓄熱式暖房装置。
【請求項４】
前記サーバーは運転タイプ設定によって平日、休日、休日前日、休日後日、土曜日のうちいずれか一つを選択して運転イプを設定し、グループに運転パターンを指定して一日運転タイプを生成することを特徴とする請求項１記載の外部データ収集機能を有する蓄熱式暖房装置。
【請求項５】
前記サーバーは運転計画設定によって全体、個別運転日程を管理し、日時別全体運転タイプ設定及び運転タイプで例外的な温風器個別運転パターンを設定することを  特徴とする請求項１記載の外部データ収集機能を有する蓄熱式暖房装置。
【請求項６】
前記サーバーは運転履歴を別のメモリーに保存し、保存された運転履歴情報を照会することを特徴とする請求項１記載の外部データ収集機能を有する蓄熱式暖房装置。
【請求項７】
前記サーバーは暖房運転時、受動の場合には暖房ファンＯＮ／ＯＦＦ制御を通して室温設定温度の±１℃範囲で室内温度を維持し、自動の場合には指定された運転計画の設定温度によって室内温度を維持することを特徴とする請求項１記載の外部データ収集機能を有する蓄熱式暖房装置。
【請求項８】
前記サーバーは蓄熱制御時、受動モードの場合には蓄熱目標量を設定して蓄熱し、  エコーモードの場合には外気と蓄熱量の推移で適正蓄熱目標量を算定して蓄熱することを特徴とする請求項１記載の外部データ収集機能を有する蓄熱式暖房装置。
【請求項９】
前記温風器は遠隔で動作状態を制御するリモコンを含み、
前記リモコンは現在時間、温風器の予約時間及び設定温度を入力するキー入力部、
前記キー入力部で入力された時間、設定温度、室内外温度及び蓄熱ヒーターの蓄熱量を表示するディスプレー部、
前記キー入力部で入力された現在時間、予約時間及び設定温度を無線通信部（１４０）に伝達するマイコン、
前記マイコンで伝えられた現在時間、予約時間及び設定温度を前記温風器の無線通信部に送信する無線通信部、を含み、
前記温風器は現在時間、予約時間及び設定温度を受信する無線通信部、
前記受信された現在時間、予約時間及び設定温度によって前記温風器の動作状態をセッティングするマイコン、
温風器に動作電源を供給する電源部、を含み、
前記リモコンの電源を充電するために充電池端子部を有する居置台を具備し、前記居置台の充電池端子部は前記温風器の電源部から連結線を通して有線で連結して電源を供給を受けて、前記リモコンが前記居置台上に居置される時、前記充電池端子部が前記充電池部に接触して前記充電池部を充電させることを特徴とする請求項１記載の外部データ収集機能を有する蓄熱式暖房装置。
【請求項１０】
蓄熱式暖房制御方法において、
暖房運転が始まると、まず室内温度を取得し、エラー状態及び暖房時間の可否を判断して制御を遂行する段階、
モードを判断して自動モードの場合あらかじめ設定された運転計画、設定温度をメモリーからサーバーに読み込んで、受動モードの場合には受動運転を遂行してこれによる設定温度を読み込む段階、
室内温度を設定温度と比較判断して温風器ファンをオン／オフ制御することによって室内温度を設定温度に合せて室内の暖房を遂行する段階、
室内温度による運転履歴をメモリーに保存する段階、
を含むことを特徴とする外部データ収集機能を有する蓄熱式暖房制御方法。
【請求項１１】
蓄熱式暖房の制御方法において、
温風器の情報を収集してこれによってエラー状態及び蓄熱可能時間制御を遂行する段階、
モードを判断して自動モードの場合蓄熱目標温度、蓄熱時作詩間を計算し、受動モードの場合には受動運転を遂行してこれによる設定温度を読み込む段階、
蓄熱温度を設定温度と比較判断してヒーターをオン／オフ制御することによって蓄熱温度を設定温度に合せて蓄熱制御を遂行する段階、
前記蓄熱温度による運転履歴をメモリーに保存する段階、
を含むことを特徴とする外部データ収集機能を有する蓄熱式暖房の制御方法。
【発明の詳細な説明】
【技術分野】
【０００１】
本発明は外部データ収集機能を有する蓄熱式暖房装置及びその制御方法に係り、より詳しくは、外部の温度変化等の多様なデータを収集してこれに伴いさらに効率的に蓄熱及び暖房運転を遂行する外部データ収集機能を有する蓄熱式暖房装置及びその制御方法に関する。
【背景技術】
【０００２】
暖房装置を大きく分類すると、（１）  燃料を直接燃焼させて暖房をする小規模の暖炉・壁暖炉など、（２）  放熱器を室内に置いて、その中に室外のボイラーで生じた蒸気・温水を通して暖房する蒸気暖房・温水暖房、（３）  熱ガス・蒸気・温水・電熱などで昇温した空気を室内に送る暖房、すなわち温風暖房・空気調和、（４）  壁・床・天井中にパイプを入れ、その中に温水・熱風などを送ることによって壁・床・天井の表面温度を高めて暖房する輻射煖房、（５）  太陽熱利用などがある。
最近はエネルギー節減のために蓄熱式暖房装置、すなわち蓄熱器の利用が増加している。
【０００３】
一般的に蓄熱器は深夜電力を利用して蓄熱器に冷熱を保存した後、昼間冷房時間に  この冷熱を使用するシステムで、夏期ピーク抑制と基底負荷の増大を通した負荷率の向上を目的に普及している。
部分蓄熱の場合、昼間負荷の一部を夜間に蓄冷するために冷凍機の容量を減らすことができ、深刻な負荷変動にも対処する能力が優れており、快適な冷房が可能である。年間冷房時間が長い場合や冷房容量が大きい建物の場合はさらに有利である。
しかし、従来の蓄熱式暖房装置は外部の温度変化などの多様な条件に関係なく動作するためエネルギーを効率的に利用する点で問題点があった。
【先行技術文献】
【特許文献】
【０００４】
【特許文献１】特開２００６−０３８３８７号公報
【特許文献２】特開２００５−３０８２５８号公報
【発明の概要】
【発明が解決しようとする課題】
【０００５】
本発明は従来の問題点を克服するためになされたもので、外部の温度変化のような多様なデータを収集してこれに伴いさらに効率的な蓄熱及び暖房運転ができる外部データ収集機能を有する蓄熱式暖房装置及びその制御方法を提供することにその目的がある。
【課題を解決するための手段】
【０００６】
本発明による外部データ収集機能を有する蓄熱式暖房装置は、蓄熱式暖房装置において、室外の温度を検出する室外温度の検出部、深夜電気を利用してヒーターで熱を保管する蓄熱ヒーター、前記蓄熱ヒーターの温度を検出する蓄熱温度の検出部、前記室外温度の検出部から検出された室外温度によって蓄熱量を計算して前記蓄熱ヒーターの作動状態を制御し、蓄熱された熱を多数の温風器に供給して室内を暖房させるように制御するサーバー、室内を暖房する多数の温風器、
前記温風器に前記サーバーのデータを伝送し、現在の温風器の状態を照会監視し、前記温風器のデータを収集して前記サーバーに伝送するデータ処理／収集装置、とを含むことを特徴とする。
【０００７】
前記温風器は、室内温度を検出する温度センサー、前記温度センサーで検出された室内温度を前記データ処理／収集装置に伝送し、前記データ処理／収集装置から前記サーバーの制御命令を受信してヒーター及びファンを駆動させ、同じ暖房条件を有する温風器をグループ化して運転設定を簡便するようにすることを特徴とする。
【０００８】
稼動時間と容量で電力積算量を累積する積算電力計をさらに含むことを特徴とする。
【０００９】
前記サーバーは運転タイプ設定によって平日、休日、休日前日、休日後日、土曜日のうちいずれか一つを選択して運転イプを設定し、グループに運転パターンを指定して一日運転タイプを生成することを特徴とする。
【００１０】
前記サーバーは運転計画設定によって全体、個別運転日程を管理し、日時別全体運転タイプ設定及び運転タイプで例外的な温風器個別運転パターンを設定することを  特徴とする。
【００１１】
前記サーバーは運転履歴を別のメモリーに保存し、保存された運転履歴情報を照会することを特徴とする。
【００１２】
前記サーバーは暖房運転時、受動の場合には暖房ファンＯＮ／ＯＦＦ制御を通して室温設定温度の±１℃範囲で室内温度を維持し、自動の場合には指定された運転計画の設定温度によって室内温度を維持することを特徴とする。
【００１３】
前記サーバーは蓄熱制御時、受動モードの場合には蓄熱目標量を設定して蓄熱し、  エコーモードの場合には外気と蓄熱量の推移で適正蓄熱目標量を算定して蓄熱することを特徴とする。
【００１４】
前記温風器は遠隔で動作状態を制御するリモコンを含み、前記リモコンは現在時間、温風器の予約時間及び設定温度を入力するキー入力部、前記キー入力部で入力された時間、設定温度、室内外温度及び蓄熱ヒーターの蓄熱量を表示するディスプレー部、前記キー入力部で入力された現在時間、予約時間及び設定温度を無線通信部（１４０）に伝達するマイコン、前記マイコンで伝えられた現在時間、予約時間及び設定温度を前記温風器の無線通信部に送信する無線通信部、を含み、
前記温風器は現在時間、予約時間及び設定温度を受信する無線通信部、前記受信された現在時間、予約時間及び設定温度によって前記温風器の動作状態をセッティングするマイコン、温風器に動作電源を供給する電源部、を含み、前記リモコンの電源を充電するために充電池端子部を有する居置台を具備し、前記居置台の充電池端子部は前記温風器の電源部から連結線を通して有線で連結して電源を供給を受けて、前記リモコンが前記居置台上に居置される時、前記充電池端子部が前記充電池部に接触して前記充電池部を充電させることを特徴とする。
【００１５】
また、本発明は、蓄熱式暖房制御方法において、暖房運転が始まると、まず室内温度を取得し、エラー状態及び暖房時間の可否を判断して制御を遂行する段階、
モードを判断して自動モードの場合あらかじめ設定された運転計画、設定温度をメモリーからサーバーに読み込んで、受動モードの場合には受動運転を遂行してこれによる設定温度を読み込む段階、室内温度を設定温度と比較判断して温風器ファンをオン／オフ制御することによって室内温度を設定温度に合せて室内の暖房を遂行する段階、室内温度による運転履歴をメモリーに保存する段階、を含むことを特徴とする。
【００１６】
また、本発明は、蓄熱式暖房の制御方法において、温風器の情報を収集してこれによってエラー状態及び蓄熱可能時間制御を遂行する段階、モードを判断して自動モードの場合蓄熱目標温度、蓄熱時作詩間を計算し、受動モードの場合には受動運転を遂行してこれによる設定温度を読み込む段階、蓄熱温度を設定温度と比較判断してヒーターをオン／オフ制御することによって蓄熱温度を設定温度に合せて蓄熱制御を遂行する段階、前記蓄熱温度による運転履歴をメモリーに保存する段階、を含むことを特徴とする。
【発明の効果】
【００１７】
本発明による外部データ収集機能を有する蓄熱式暖房装置及びその制御方法によると、外部の温度変化のような多様なデータを収集してこれによってさらに効率的に蓄熱及び暖房運転を遂行することによって不必要なエネルギー浪費を防止できる効果がある。
【図面の簡単な説明】
【００１８】
【図１】本発明による外部データ収集機能を有する蓄熱式暖房装置の一実施例を  示したブロック構成図である。
【図２】本発明による外部データ収集機能を有する蓄熱式暖房の制御方法の一実施例として暖房運転の過程を示した流れ図である。
【図３】本発明の蓄熱制御の過程を示した流れ図である。
【図４】本発明の暖房日程計画設定の過程を示した流れ図である。
【図５】本発明の使用状態を示した図面である。
【図６】本発明のデータ処理／収集装置を示したブロック構成図である。
【図７】本発明のイベント要請時のデータ流れを示した図面である。
【図８】本発明のアラーム及びイベント発生時のデータ流れを示した図面である。
【図９】本発明のデータ収集過程を示した制御流れ図である。
【図１０】本発明の温風器とリモコンの連結状態を示したブロック構成図である。
【発明を実施するための最良の形態】
【００１９】
以下、添付図面を参照して本発明の望ましい実施例を詳細に説明する。
図１は本発明による外部データ収集機能を有する蓄熱式暖房装置の一実施例を示したブロック構成図である。。
図１に示す通り、本発明は、室外温度の検出部（１０）、蓄熱ヒーター（２０）、蓄熱温度の検出部（３０）、積算電力計（４０）、サーバー（５０）、データ処理／収集装置（６０）、温風器（７０、８０、９０）、コントロールボード（７１）、温度センサー（７２）、ヒーター（７３）及びファン（７４）を含む。
【００２０】
室外温度の検出部（１０）は室外の温度を検出する。検出された室外温度によって受動モードと自動モードを実施する。受動モードでは目標設定温度±１℃の範囲で暖房を自動制御し、一日一定の温度に設定できる。
自動モードでは時間帯別設定温度による運転パターンによって自動的に室温制御して暖房することができる。
蓄熱ヒーター（２０）は深夜電気を利用してヒーターで蓄熱する。この時、蓄熱可能な深夜時間の選択が可能である。
蓄熱温度の検出部（３０）は蓄熱ヒーター（２０）の温度を検出する。検出された温度によって蓄熱受動モードと自動モードを実施できる。受動モードでは蓄熱量を設定して蓄熱できる。自動モードでは不必要な蓄熱を防止するために蓄熱温度を自動調整することができる。
【００２１】
積算電力計（４０）は稼動時間と容量で電力積算量を累積する。
サーバー（５０）は室外温度の検出部（１０）から検出された室外温度によって蓄熱量を計算して蓄熱ヒーター（２０）の作動状態を制御し、蓄熱された熱を温風器（７０、８０、９０）に供給して室内を暖房させる。このためにサーバー（５０）は温風器（７０、８０、９０）に制御命令を出力する。
サーバー（５０）は運転タイプ設定によって平日、休日、休日前日、休日後日、土曜日などの運転設定が可能である。グループに運転パターンを指定して一日運転タイプも可能である。
また、運転計画設定によって全体、個別運転日程を管理でき、日時別全体運転タイプ設定及び運転タイプで例外的な温風器個別運転パターンを設定できる。
運転履歴は別のメモリーに保存し、保存された運転履歴情報は照会できる。
【００２２】
暖房運転時、受動の場合には暖房ファンＯＮ／ＯＦＦ制御を通して室温設定温度の±１℃範囲に室内温度が維持でき、自動の場合には指定された運転計画の設定温度によって室内温度が維持できる。
蓄熱制御時、受動モードの場合には蓄熱目標量を設定して蓄熱でき、エコーモードの場合には外気と蓄熱量の推移で適正蓄熱目標量を算定して蓄熱できる。
データ処理／収集装置（６０）は温風器（７０、８０、９０）にサーバー（５０）のデータを伝送する。また、現在の温風器（７０、８０、９０）の状態を照会監視でき、温風器（７０、８０、９０）のデータを収集してサーバー（５０）に伝送する。
温風器（７０、８０、９０）は室内を暖房するために、コントロールボード（７１）、  温度センサー（７２）、ヒーター（７３）  及びファン（７４）を含む。
温風器（７０、８０、９０）は同じ暖房条件を有する温風器をグループ化して運転設定を簡便にする。例として、個別温風器（７０、  ８０、  ９０）は最大３２０個指定可能で、温風器グループは最大９９個の設定が可能である。
【００２３】
温度センサー（７２）は室内温度を検出する。暖房目標温度の最大３０℃まで設定できる。  また、時間単位で室内温度をあらかじめ設定して一つのパターンに管理できる。
コントロールボード（７１）は温度センサー（７２）で検出された室内温度をデータ処理／収集装置（６０）に伝送する。またコトロールボード（７１）はデータ処理／収集装置（６０）からサーバー（５０）の制御命令を受信してヒーター（７３）  及びファン（７４）を駆動させる。
【００２４】
図２は本発明による外部データ収集機能を有する蓄熱式暖房の制御方法に関する一実施例の暖房運転過程を示した流れ図である。
図に示す通り、本発明の暖房運転が始まると、まず室内温度を取得して（Ｓ１１０）、エラー状態及び暖房時間の可否を判断して制御を遂行する（Ｓ１２０）。
以後、モードを判断して（Ｓ１３０）自動モードの場合、あらかじめ設定された運転計画、  設定温度をメモリー（未図示）からサーバー（５０）に読み込む（Ｓ１４０）。
受動モードの場合には受動運転を遂行し、このための設定温度を読み込む（Ｓ１５０）。
以後、室内温度を設定温度と比較判断して（Ｓ１６０）、温風器ファンをオン／オフ制御することによって室内温度を設定温度に合わせる。すなわち、室内温度が設定温度の以下である場合、ファンをオンさせ、室内温度が設定温度を超過する場合にはファンをオフさせる（Ｓ１７０〜Ｓ１８０）。
並行して、このような室内温度による運転履歴をメモリーに保存する（Ｓ１９０）。
【００２５】
図３は本発明の蓄熱制御過程を示した流れ図である。
図３に示す通り、本発明の蓄熱制御は、まず温風器の情報を収集してこれによってエラー状態及び蓄熱可能時間の制御を遂行する（Ｓ２１０〜Ｓ２２０）。
以後、モードを判断して（Ｓ２３０）自動モードの場合、蓄熱目標温度、蓄熱開始詩間を  計算する（Ｓ２４０）。受動モードの場合には受動運転を遂行して設定温度を読み込む（Ｓ２５０）。
以後、蓄熱温度を設定温度と比較判断して（Ｓ２６０）ヒーターをオン／オフ制御することによって蓄熱温度を設定温度に合せて蓄熱制御を遂行する。すなわち、蓄熱温度が  設定温度の以下である場合、ヒーターをオンさせ、蓄熱温度が設定温度を超過する場合にはヒーターをオフさせる（Ｓ２７０〜Ｓ２８０）。
並行して、このような蓄熱温度による運転履歴をメモリーに保存する（Ｓ２９０）。
【００２６】
図４は本発明の暖房日程計画の設定過程を示した流れ図である。
図４に示す通り、まず温風器の情報を入力する段階を遂行する（Ｓ３１０）。例として、温風器の番号、名称、面積、層などの情報を入力する。
以後、温風器別グループを設定し（Ｓ３２０）、時間単位の設定及び温度管理などの運転  パターンを設定する（Ｓ３３０）。
運転タイプとしては、平日、休日、運転情報などを設定する（Ｓ３４０）。
以後、日時別運転タイプを指定し、このカレンダー形態で画面を構成できる（Ｓ３５０）。
最後に休業日を調整し、例外的な運転計画を設定することによって暖房日程計画の設定過程を終了する（Ｓ３６０〜Ｓ３７０）。
【００２７】
図５は本発明の使用状態を示した図であり、サーバー（５０）、データ処理／収集装置（６０）  及び温風器（７０、８０、９０）を示す。
データ処理／収集装置（６０）と温風器（７０、８０、９０）のインターフェース（Ｉｎｔｅｒｆａｃｅ）はＲＳ４８５を使用することができる。また、通信の標準化のために通信パラメタは共通事項とすることが望ましい。
データ処理／収集装置（６０）はＲＳ４８５通信で温風器（７０、８０、９０）のコントロールボード（７１）と周期的なフォーリング（Ｐｏｌｌｉｎｇ）  通信を遂行する。
【００２８】
図６は本発明のデータ処理／収集装置を示したブロック構成図である。
図６に示す通り、本発明のデータ処理／収集装置（６０）は電源部（６１）、プロトコル処理器（６２）、データ処理器（６３）、イベント処理器（６４）、イーサネット（登録商標）処理器（６５）及びシリアル処理器（６６）を含む。
コントロールボード（７１）はＤＣパワーとリモート（Ｒｅｍｏｔｅ）Ｉ／Ｏ  （Ｓｉｇｎａｌ  Ｉ／Ｆ、Ｃｏｍｍｕｎｉｃａｔｉｏｎ  Ｉ／Ｆ）から構成され、それぞれの固有ＩＤまたは住所（Ａｄｄｒｅｓｓ：  １〜３１）で区分されなければならない。
【００２９】
図７は本発明のイベント要請時のデータ流れを示した図面である。
図７に示す通り、本発明のサーバー（５０）でデータ処理／収集装置（６０）にイベントを要請すると、データ処理／収集装置（６０）はこのイベント要請を温風器（７０、  ８０、９０）に伝達する。
温風器（７０、８０、９０）で応答データをデータ処理／収集装置（６０）に伝送すると、データ処理／収集装置（６０）はサーバー（５０）にイベント応答データを伝送する。
【００３０】
図８は本発明のアラーム及びイベント発生時のデータ流れを示した図面である。
図８に示す通り、本発明のサーバー（５０）でデータ処理／収集装置（６０）にイベントを要請すれば、データ処理／収集装置（６０）はこのイベント要請を温風器（７０、  ８０、９０）に伝達する。
温風器（７０、８０、９０）でアラーム発生データをデータ処理／収集装置（６０）に伝送すれば、データ処理／収集装置（６０）はサーバー（５０）にアラームデータを伝送し、サーバー（５０）はアラーム状態を確認する。
【００３１】
図９は本発明のデータ収集過程を示した制御流れ図である。
図９に示す通り、本発明はまず、使用しようとするＤＡＴ種類を選択する。
例として、ＤＡＴ−５０Ａ／１００Ａ／１５０／２００／１０００のうちいずれか一種類を選択できる。また、次のように三つの中のひとつのドライバータイプを選択できる。（Ｓｅｒｉａｌ  Ｏｎｌｙ、Ｅｔｈｅｒｎｅｔ  ：  Ｓｅｒｉａｌ  ＋  Ｅｔｈｅｒｎｅｔ、ＳＥＣＳ  ：  Ｓｅｒｉａｌ  ＋  Ｅｔｈｅｒｎｅｔ  ＋  ＳＥＣＳ，Ｅｔｈｅｒｎｅｔは登録商標）（Ｓ４０１）  以後、  通信形態によってシリアル／イーサネット（登録商標）を選択（Ｓ４２０）し、選択したポートの詳細設定を遂行する（Ｓ４３０）。例として、シリアル  ９６００ｂｐｓ、８  ｄａｔａ  ｂｉｔ、１  ｓｔｏｐ  ｂｉｔ、ｐａｒｉｔｙ  ｎｏｎｅでポートを設定できる。
そして、内蔵された専用プロトコル、例としてＭＯＤＢＵＳ  ＲＴＵ／ＡＳＣＩＩ／ＴＣＰ、ＧＬＯＦＡ  ＣＮＥＴ／ＥＮＥＴ、ＭＥＬＳＥＣ−Ｑ、ＳＩＥＭＥＮＳ  ３９６４（Ｒ）を使用するか否かを判断する（Ｓ４４０）。
専用プロトコルを使用する場合は、データの送．受信、変換などの動作プロセスを  作成する（Ｓ４５０）。
一方、専用プロトコルを使用しない場合には専用プロトコル以外のプロトコルは使用者がフレームを直接作成する（Ｓ４６０）。
プロセス作成が完了すれば完成されたプログラムをＤＡＴにダウンロードする（Ｓ４７０）。
【００３２】
図１０は本発明の温風器とリモコンの連結状態を示したブロック構成図である。
図１０に示す通り、本発明の温風器（７０）はリモコン（１００）を利用して遠隔で  制御できる。
このために温風器（７０）は無線通信部（７５）、マイコン（７６）、電源部（７７）を含み、リモコン（１００）はキー入力部（１１０）、ディスプレー部（１２０）、マイコン（１３０）、  無線通信部（１４０）、充電池部（１５０）を含む。
リモコン（１００）の電源を充電するために充電池端子部（２１０）を有する居置台（２００）を具備する。
居置台（２００）の充電池端子部（２１０）は温風器（７０）の電源部（７７）から連結線を通して有線で連結して電源供給を受け、リモコン（１００）が居置台（２００）上に居置される時、充電池端子部（２１０）が充電池部（１５０）に接触して充電池部（１５０）が充電される。
【００３３】
リモコン（１００）のキー入力部（１１０）には現在時間、温風器（７０）の予約時間及び設定温度を入力する。
ディスプレー部（１２０）は時間、設定温度、室内外温度及び蓄熱ヒーターの蓄熱量などを表示する。
マイコン（１３０）はキー入力部（１１０）で入力された現在時間、予約時間及び設定温度を無線通信部（１４０）に伝達する。
無線通信部（１４０）はマイコン（１３０）で伝達された現在時間、予約時間及び設定温度を温風器（７０）の無線通信部（７５）に送信する。
無線通信部（１４０）（７５）は通常の赤外線の無線通信方式が適用できる。
温風器（７０）の無線通信部（７５）は受信された現在時間、予約時間及び設定温度をマイコン（７６）に伝達し、マイコン（７６）は伝えられた現在時間、予約時間及び設定温度によって温風器（７０）をセッティングする。
電源部（７７）は温風器（７０）に動作電源を供給するとともに、居置台（２００）の充電池端子部（２１０）に有線で連結して電源を供給する。
【００３４】
以上、本発明に関する好ましい実施例を説明したが、本発明は前記実施例に限定されず、本発明の属する技術範囲を逸脱しない範囲での全ての変更が含まれる。
【符号の説明】
【００３５】
１０  ：  室外温度の検出部          
２０  ：  蓄熱ヒーター
３０  ：  蓄熱温度の検出部  
４０  ：  積算電力計
５０  ：  サーバー  
６０  ：  データ処理／収集装置
７０、８０、９０  ：  温風器  
７１  ：  コントロールボード
７２  ：  温度センサー
７３  ：  ヒーター
７４  ：  ファン
７５  ：  無線通信部
７６  ：  マイコン
７７  ：  電源部
１００  ：  リモコン  
１１０  ：  キー入力部
１２０  ：  ディスプレー部
１３０  ：  マイコン
１４０  ：  無線通信部  
１５０  ：  充電池部
２００  ：  居置台  
２１０  ：  充電池端子部
【図１】
2011021872.tif 000003
【図２】
2011021872.tif 000004
【図３】
2011021872.tif 000005
【図４】
2011021872.tif 000006
【図５】
2011021872.tif 000007
【図６】
2011021872.tif 000008
【図７】
2011021872.tif 000009
【図８】
2011021872.tif 000010
【図９】
2011021872.tif 000011
【図１０】
2011021872.tif 000012